(57)【要約】【課題】携帯用タモ網について、操作性・機能性を確保しながら携帯性に優れたものとする。【解決手段】２本の腕部材１０ａ，１０ｂが先端側を拡開方向に付勢した状態で基端側を連結されたヒンジ構造１２ａ部分を柄部５先端側で支持し、腕部材１０ａ，１０ｂを使用時のＶ字状に開いた状態から閉じることにより網部１０を畳んで収納可能な状態とする携帯用タモ網１Ａにおいて、柄部５のスライド孔１５ａ内に摺動可能に配設されたスライダ１２が先端側で網部１０を支持し基端側をコイルバネ１９で押圧されており、不使用時にスライダ１２をスライド孔１５ａ底面側に押し込んだ位置に繋止手段で繋止して網部１０の少なくとも一部を柄部５内に収納し、使用時に繋止状態を解除することでスライダ１２が移動し腕部材が１０ａ，１０ｂスライド孔１５ａから脱出して網部１０が開くものとした。【選択図】図１
2008253166.tif 000002
【特許請求の範囲】
【請求項１】
２本の腕部材が先端側を拡開方向に付勢された状態で基端側を連結されたヒンジ構造を有しており、前記腕部材を含む枠体に網を取付けてなる網部が釣り人の把持する柄部の先端側で支持され、前両腕部材を使用時のＶ字状に開いた状態から閉じることで前記網部を畳んで収納するものとした携帯用タモ網において、
前記柄部は、内部にスライド孔を有して先端側を開口端とした略筒状部材で構成されるとともに前記スライド孔内に摺動可能に配設されたスライダを有し、該スライダが先端側に前記ヒンジ構造部分を取付けられて基端側をコイルバネで押圧されており、不使用時に前記スライダを前記スライド孔底面側に押し込んだ位置にして所定の繋止手段で繋止することにより、前記スライド孔内周面で前記両腕部材の拡開動作を規制しながら前記網部の少なくとも一部を前記柄部内に収納するものとし、使用時に繋止状態を解除することにより前記スライダが前記コイルバネの弾性反発力で前記スライド孔開口端側に移動し前記両腕部材がスライド孔から脱出して網部が開く、ことを特徴とする携帯用タモ網。
【請求項２】
前記枠体は、接続角度が所定範囲で変更可能に連結された１組の先端腕部材の両端側が前記両腕部材の先端側に連結されて構成され、前記網部の収納時に前記両先端腕部材が中央の連結部分で中折れしながら前記両腕部材の間に折り畳まれて前記網部を畳むものとされている、ことを特徴とする請求項１に記載した携帯用タモ網。
【請求項３】
前記腕部材と前記先端腕部材との連結部分に、前記先端腕部材の先端側を拡開させる方向に付勢して弾性部材が設けられている、ことを特徴とする請求項２に記載した携帯用タモ網。
【請求項４】
前記網部は、前記柄部内への収納時に先端側の一部が前記スライド孔内部に収まらない露出した状態となり、該露出した部分を略筒状の鞘体に挿入して前記網部の総てが収納される、ことを特徴とする請求項１，２または３に記載した携帯用タモ網。
【請求項５】
前記鞘部の開口端側と前記柄部の開口端側とを連結させて固定する連結構造が設けられ、該連結構造が前記スライダを押し込み位置に留めて繋止するための前記繋止手段を兼ねている、ことを特徴とする請求項４に記載した携帯用タモ網。
【請求項６】
前記連結構造は、前記柄部の先端側外周面と前記鞘部の先端側内周面に設けた所定長さの係合溝及び該係合溝に対応する係合凸部の組み合わせからなるルアーロック構造からなり、前記柄部を周方向に２分の１回転未満捻るだけで着脱可能となるものとされている、ことを特徴とする請求項５に記載した携帯用タモ網。
【請求項７】
前記鞘体の外周側に、釣り人の装着物に繋止させるための繋止フックが設けられている、ことを特徴とする請求項４，５または６に記載した携帯用タモ網。
【発明の詳細な説明】
【技術分野】
【０００１】
本発明は、携帯用タモ網に関し、殊に、渓流釣りや鮎の友釣り、或いは陸からの疑似餌釣りなど、釣り人が魚の釣れるポイントを探しながら頻繁に移動するような釣りにおいて、不使用時にコンパクトに収納されて携帯しやすく使用時に片手で広げて使用できる携帯用タモ網に関する。  
【背景技術】
【０００２】
一カ所に釣り座を決めてあまり移動しないヘラブナ釣りや釣り人自ら歩く必要のないボートフィッシングでは、魚を取り込むためのタモ網は予め使用できる状態にして近傍に置いておけば良い。しかし、渓流釣りや陸からのルアーフィッシング、フライフィッシングなど、釣れるポイントを探して釣り人自身が頻繁に移動するような釣りにおいては、タモ網は釣り人が携行する関係でコンパクトに収納されて携帯できるタモ網が便利である。
【０００３】
このようなニーズに対し、図７（Ａ）に示すように振り出し竿の元竿部の端部にタモ網１Ｄを収納した収納筒４３を嵌合させ、図７（Ｂ）に示すように折り畳んだタモ網１Ｄを収納筒４３から引き出して、柄４２の先端側で網部４０基端側のヒンジ構造４２ａを中心に腕部材４０ａ，４０ｂをＶ字状に拡開させて使用するものが、特開平９−１１３号公報に提案されている。
【０００４】
このタモ網１Ｄは、非使用時に振り出し竿基端側に嵌合させた収納筒４３内に折り畳んだ状態でコンパクトに収納され、使用時に引き出して収納筒４３開口部に装着することでタモ網として使用可能な状態となるため、収納時の携帯性に優れている点を特徴としている。ところが、渓流釣りやルアーフィッシング等の場合、岩場や藪の中での移動時、或いは竿の操作時に邪魔にならないように、タモ網は魚の取り込み直前で開いて使用するのが通常である。
【０００５】
そのため、収納筒４３内に収装され固定されたタモ網１Ｄの固定状態を解いて使用可能な状態にするための動作は、魚を掛けて竿を片手で操作している体勢では極めて困難であり、且つ使用できる状態となるまでに手間取りやすいため、せっかく掛けた魚を逃がしてしまう危険性が大きくなる、という問題がある。
【０００６】
この問題に対し、図８（Ａ）に示すように捻りバネを備えたヒンジ構造５２ａで腕部材５０ａ，５０ｂをＶ字状に拡開方向に付勢しながら柄５２先端側に支持されて網２Ｅを取り付けてなる網部５０を、腕部材５０ａ，５０ｂの両先端側を接続する１組の先端腕部材５１ａ，５１ｂの連結部を中折れ式に折り畳みながら閉じた状態として鞘体５３に挿入することでコンパクトに収納するものとした、タモ網１Ｅが実登３１１１２７０号公報に提案されている。
【０００７】
このような構成のタモ網１Ｅは、網部５０を鞘体５３内に収納することで携行に邪魔にならず、魚の取り込み直前に柄５２を把持して鞘体５３から引き出すだけで網部５０が自動的にＶ字状に拡開して使用可能な状態となるため、操作性に優れたものとなっている。これに加えて、このタモ網１Ｅは収納時の全体の大きさをコンパクトに抑えつつ使用時の網部５０の内径をなるべく大きくとるために、腕部材５０ａ，５０ｂが各々テレスコープ式に伸縮可能とされ、鞘体５３からの引き出し動作に連動してバネで自動的に伸張するようになっている。
【０００８】
ところが、このように腕部材５０ａ，５０ｂを伸縮可能とすることにより、これに取り付けるための網２Ｅ端縁側の袋状部が収納時にギャザー状に圧縮できるように袋状部の内側空間に余裕をもって作る必要があり、網２Ｅが全体として嵩張って見た目のスマートさが損なわれるとともに、この部分を円滑に出し入れ可能とするために鞘体５３の内径を大きくする必要が生じて鞘体５３が過剰に大きなものとなるため、携帯性を損なう結果となっている。一方、携帯性を確保するために網部５０を小さくすると、今度は対応できる魚が小さいものに限定されてタモ網としての機能が不充分となりやすい。
【特許文献１】特開平９−１１３号公報
【特許文献２】実登３１１１２７０号公報
【発明の開示】
【発明が解決しようとする課題】
【０００９】
本発明は、上記のような問題点を解決しようとするものであり、携帯用タモ網について、操作性・機能性を確保しながら携帯性に優れたものとすることを課題とする。
【課題を解決するための手段】
【００１０】
そこで本発明は、２本の腕部材が先端側を拡開方向に付勢された状態で基端側を連結されたヒンジ構造を有しており、この腕部材を含む枠体に網が取付けられ網部を構成して柄部の先端側で支持され、２本の腕部材を使用時のＶ字状に拡開した状態から閉じることで網部を畳んで収納可能な状態とする携帯用タモ網において、その柄部が内部にスライド孔を有し先端側が開口端とされた略筒状の部材で構成され、スライド孔内で摺動可能に配設されたスライダを備え、このスライダが先端側に網部のヒンジ構造部分を取り付けられ基端側をコイルバネで押圧されており、不使用時にコイルバネを圧縮しながらスライダをスライド孔底面側に押し込んだ位置にして所定の繋止手段で繋止することにより、スライド孔内周面で両腕部材の拡開動作を規制しながら網部の少なくとも一部を柄部内に収納するものとし、使用時に繋止手段の繋止状態を解除することによりスライダがコイルバネの弾性反発力でスライド孔開口端側に移動し腕部材がスライド孔から脱出して網部が開く、ことを特徴とするものとした。
【００１１】
このように、釣り人がタモ網を把持する柄部内に網部を畳んで収納するようにしたことで、柄部内に押し込んで挿入した分だけ収納状態がコンパクトになって携帯性に優れたものとなり、これに加え、柄部を把持した手の指で解除ボタンを操作すること等して繋止手段を解除するだけでコイルバネに付勢されて網部がスライド孔をから脱出するようにしたことにより弾性部材等で付勢された両腕部材が拡開して網部が迅速且つ自動的に開くことから、極めて操作性に優れたものとなる。
【００１２】
また、その枠体は、所定のヒンジ構造で連結された１組の先端腕部材で両腕部材の先端側を繋いで接続され、収納時に先端腕部材のヒンジ構造部分で中折れして両腕部材の間に折り畳まれて網部を畳むものとすれば、収納時のサイズアップを伴うことなく網部の大型化が可能となるとともに、折り畳み動作により網の先端側の垂れた部分が腕部材基端側に引き寄せられて外部にはみ出すことなく、網部をスライド孔内に収納しやすいものとなる。
【００１３】
この場合、腕部材と先端腕部材との連結部分に、先端腕部材の先端側が拡開する方向に付勢して弾性部材を設ければ、網部を柄部の軸線方向に延長して大型化しても拡開動作がスムースさを確保しやすいものとなる。
【００１４】
さらに、上述した携帯用タモ網の網部は、柄部内への収納時にその先端側の一部がスライド孔内部に収まらない露出した状態となり、この露出した部分を略筒状の鞘体に挿入して網部の総てが収納されるものとすれば、スライダのストローク幅を小さくなり網部の収納・脱出動作が一層容易となって、網部の開閉動作がよりスムースなものとなる。この場合、鞘部開口端側と柄部開口端側とを連結させて固定する連結構造が設けられ、この連結構造がスライダを収納位置に繋止するための繋止手段を兼ねているものとすれば、その連結状態を解除し鞘体から引き抜くだけで網部を開けるようになる。
【００１５】
加えてこの場合、その連結構造が柄部の先端側外周面と鞘部先端側内周面に設けた所定長さの係合溝及びこれに対応する係合凸部の組み合わせからなるルアーロック構造からなり、周方向２分の１回転未満捻るだけで着脱可能となるものとすれば、さらに操作性に優れたものとなり、またこの鞘体の外周側に釣り人の装着物に繋止させるための繋止フックを設ければ、ベルト等の装着物に繋止するだけで携行できるとともに片手で網部を引き抜いて容易に網部を開けるものとなる。
【発明の効果】
【００１６】
不使用時に網部が柄部内に押し込まれた状態で収納され、使用時に柄部外に脱出して自動的に開くものとした本発明によると、操作性・機能性を確保しながらより携帯性に優れたものとすることができる。
【発明を実施するための最良の形態】
【００１７】
以下に、図面を参照しながら本発明を実施するための最良の形態を説明する。図１，図２は本発明における第１の実施の形態の携帯用タモ網１Ａを示している。図１（Ａ）の携帯用タモ網１Ａの不使用時の状態を示す縦断面図を参照して、本実施の携帯の携帯用タモ網１Ａは、腕部材１０ａ，１０ｂとこれらに取付けられる網２Ａ（一点鎖線及びメッシュ模様で示す）とで構成される網部１０が、釣り人が把持する部分である柄部５内に押し込まれて完全に収納されている点を特徴としている。
【００１８】
柄部５は、プラスティック等の加工容易な素材からなり内部にスライド孔１５ａを有して先端側が開放された筒部材１５で構成され、スライド孔１５ａの内周面に外周面を略密着して長さ方向に摺動可能に挿設された略柱状の部材からなるスライダ１２を有している。このスライダ１２は、その先端側に幅細帯状で厚さ方向に弾性変形可能な２本の腕部材１０ａ，１０ｂの基端側を蝶着して連結したヒンジ構造１２ａ部分を取り付けられて支持している。
【００１９】
両腕部材１０ａ，１０ｂは、ヒンジ構造１２ａを中心として先端側を開閉可能蝶着されているとともに、ヒンジ構造１２ａ部分において介装された捻りバネ１２２により腕部材１０ａ，１０ｂ先端側がＶ字状に拡開する向きに付勢されており、この付勢力に抗して腕部材１０ａ，１０ｂを閉じてスライド孔１５ａ内に収装したことにより、スライド孔１５ａ内周面が腕部材１０ａ，１０ｂ側面に当接して拡開方向の動きを規制している。
【００２０】
腕部材１０ａ，１０ｂの各先端側には樹脂等で成型され略杵状で先端側が膨大した形状の杵状部材１００ａ，１００ｂが設けられ、この杵状部材１００ａ，１００ｂ間を渡して接続するように紐部材１８が懸架されており、その間隔が所定の幅以上に開かないように規制している。この杵状部材１００ａ，１００ｂは、網部１０の収納状態においてその先端面がスライド孔１５ａの開口端と略面一となるとともに、その先端側で並列して密着した部分の幅がスライド孔１５ａの内径と略一致してスライド孔１５ａ開口部の一部を封鎖している。
【００２１】
そして、スライダ１２を押し込み位置で留めるように繋止させる繋止手段の一部を構成したシーソー部材１５０が、先端側の係合爪１５１を柄部５の外周側から穿設した繋止孔１５ｂを貫通させ、基端側をバネ１５３で持ち上げられて一方の杵状部材１００ａの側面に設けた係合溝１１１に係合しており、この位置でスライダ１２を留めて繋止している。
【００２２】
即ち、この状態でスライダ１２は基端側をスライド孔１５ａ底面との間に介装されたコイルバネ１９で押圧されて突出方向に付勢されているが、不使用時にコイルバネ１９を圧縮してスライダ１２をスライド孔１５ａ底面側に押し込んだ位置で上述の繋止手段により繋止され、網部１０が開かないように規制されながらスライド孔１５ａ内に収納されている。
【００２３】
図１（Ｂ）の携帯用タモ網１Ａの使用時の状態を示す縦断面図を参照して、シーソー部材１５０基端側の解除ボタン１５２を押すことにより繋止状態が解除され、スライダ１２はコイルバネ１９で付勢されてスライド孔１５ａ内を軸線に沿って摺動した後、先端面をスライド孔１５ａの開口端面と面一状態にして停止している。これは、拡大部分図に示すように、スライド孔１５ａ開口部側を逆ティーパ状とした傾斜面１５ｃに、これに一致するように形成されたスライダ１２先端寄り外周面の傾斜面１２０ｃに密着した時点で摺動が停止することによるものである。尚、この状態において傾斜面１５ｃに傾斜面１２０ｃが嵌合しているため、スライダ１２には所定の固定力が働いている。
【００２４】
また、図に示すように、網２Ａは両腕部材１０ａ，１０ｂと紐部材１８により構成される枠体に所定の開口部形状を維持するように取り付けられて支持されているが、その端縁側は袋状に縫製され（図示は省略）、その内部に両腕部材１０ａ，１０ｂと紐部材１８を挿通されている。そして、ヒンジ構造１２ａにおいて軸１２４を中心に両腕部材１０ａ，１０ｂ先端側を拡開方向に付勢して捻りバネ１２４が介装されているが、軸１２４を中心に両腕部材１０ａ，１０ｂが左右に揺動しないように、スライダ１２先端面から突設された円環状の周壁１２１でヒンジ構造１２ａ部分の周囲が囲まれて支えられている。
【００２５】
図１（Ａ）の拡大した底面図を示す図２を参照して、携帯用タモ網１Ａの柄部５は、横断面形状が完全な円形ではなく三角形の各角部を丸く面取りして各辺を遠心方向に湾曲させたような形状を呈している。このようにしたのは、スライダ１２がスライド孔１５ａ内で周方向に回動してしまうのを回避するとともに、釣り人が柄部５を握った感触のみで網部１０の網口の向きを把握できるようにするためである。尚、図から分かるように、両杵状部材１００ａ，１００ｂの先端面がスライド孔１５ａ開口部を総て封鎖しないで隙間部分を有しているが、これは収納時に網２Ａがたるんで収納されなかった余り部分を押し込むために設けたものである。
【００２６】
本実施の形態の携帯用タモ網１Ａは、以上のような構成であり網部１０の収納時に網部１０が畳まれた状態で柄部５内に押し込まれ総て収装されて極めてコンパクトな状態となり、解除ボタン１５２を押すだけで網部１０が突出するとともに拡開して使用可能な状態となる点を特徴としている。即ち、柄部５内に網部１０に収納する分、収納時の全長が短いものとなって優れた携帯性を発揮するものである。
【００２７】
また、このような構成としたことで、魚を取り込む直前に竿を持っていない方の手で把持し、把持した手の指で簡単に網部１０を拡開させることが可能となるため、極めて操作性に優れたものとなっている。さらに、このようにコンパクト且つ簡易な構成から、軽量でより大きな網部１０を設け易いため、優れた機能性を発揮できるものとなる。
【００２８】
図３は本発明における第２の実施の形態である、携帯用タモ網１Ｂを示している。図３（Ａ）に示すように、携帯用タモ網１Ｂは前述の携帯用タモ網１Ａとほぼ同様の構成を有しているが、腕部材２０ａ，２０ｂの先端側を繋いで接続する紐部材１８の代わりに、弾性に富む鋼材等からなる幅細帯状の１組の先端腕部材２１ａ，２１ｂをヒンジ構造２０２で連結し、その基端側を腕部材２０ａ，２０ｂ先端側に各々蝶着して連結して、収納時に先端腕部材２１ａ，２１ｂが中折れ式に両腕部材２０ａ，２０ｂの間に折り畳まれるようになっている点を特徴としている。
【００２９】
図４の腕部材２０ａ先端側の杵状部材２００ａの拡大部分図を参照して、図に示すように先端腕部材２１ａは、杵状部材２００ａの軸２１５部分に捻りバネ２１２を介装されて、先端側を拡開する向きに付勢された状態で腕部材２０ａ先端側に連結されており、もう一方の先端腕部材２１ｂも同様である。そのため、折り畳まれた網部２０がスライド孔１５ａを脱出する動作に伴って、両先端腕部材２１ａ、２１ｂから先の部分も自動的に拡開するようになっている。
【００３０】
図３（Ｂ）の携帯用タモ網１Ｂの使用時の状態を示す縦断面図を参照して、図に示すように、捻りバネ２１５，２１５を設けた先端腕部材２１ａ，２１ｂは、前述の紐部材１８よりも柄部５の軸線方向により大きく先端側に拡開する。また、このように網部２０の先端側を紐材ではなく鋼材で支持したことにより、その部分の枠体としての形態保持力も強化されている。
【００３１】
従って、先述の携帯用タモ網１Ａと収納時のサイズは同じでも、網部２０は拡開時に長さＸ分大きく開くとともに、腕部材２０ａ，２０ｂを接続する部分の形態も安定的なものとなるため、一層機能性に優れたものとなっている。
【００３２】
また、前述の第１の実施の形態では、収納時において網２Ａの先端寄りの垂れ下がった部分が取り残されて収納しにくい状況となっていたが、図５（Ａ）の側面図に示すように、網２Ｂの先端側半分がヒンジ構造２０２とともに中折れして腕部材２０ａ，２０ｂ基端側に引き寄せられるため、図５（Ｂ）に示すように摺動孔１５ａ内に収まりやすいものとなる。
【００３３】
図６は、本発明における第３の実施の形態である携帯用タモ網１Ｃを示している。この携帯用タモ網１Ｃも前述した第２の実施の形態の携帯用タモ網１Ｂと同様に先端腕部材２１ａ，２１ｂが中折れ式に設けられ、腕部材２０ａ，２０ｂ先端側を繋いで接続している。しかし、本実施の形態では柄部６が携帯用タモ網１Ｂの約半分の長さの筒部材１６で構成され、収納しきれずスライド孔１６ａから露出した網部２０の先端側約半分を、柄部６とは別の鞘体１７中に挿入して収納状態とする点を特徴としている。
【００３４】
鞘体１７は筒状部材で構成され、柄部６よりも大径の挿入孔１７ａを有し開口部から柄部６先端側を挿入し両部材を連結できるようになっている。鞘体１７は柄部６とほぼ同じ長さを有しているとともに底壁を有しており、網部２０の露出した部分を総て収納した状態で先端側の杵状部材２００ａ，２００ｂが底壁に当接するようになっている。そして、柄部６外周面と鞘体１７内周面との間にルアーロック式の連結構造を備えており、両部材を周方向に相対的に４分の１回転程度捻るだけで固定・固定解除可能となる。
【００３５】
このような構成で柄部６と鞘体１７とを連結・固定するようにしたことで、網部２０の収納時時に先端部となる杵状部材２００ａ，２００ｂの両先端面が収納孔１７ａの底壁に当接してスライダ１２がこの位置で留められて繋止されるため、これがスライダ１２の繋止手段を兼ねてシーソー部材１５０等は必要ないものとなっている。
【００３６】
図（Ｂ）の携帯用タモ網１Ｃの使用時の状態を示す正面図を参照して、釣り人が柄部６を把持して約４分の１程度捻って繋止状態を解除した後、網部２０を引き抜くだけで網部２０が突出して自動的に拡開することから、解除ボタンを探して押す手間を要さずに迅速且つ容易に使用状態とすることができる点が特徴となっている。
【００３７】
また、図のように鞘体１７外周面に繋止フック１７１を設け、釣り人のベルト等に繋止するものとすれば、携行に極めて便利なものとなる。さらに、このように鞘体１７を釣り人側に固定しておくことで、魚の取り込み時に竿を持っていない方の他方の手のみで、あたかも刀を抜くような簡易な動作で簡単に使用出来る状態とすることができる。
【００３８】
尚、連結構造の例としては、例えば図に示したように柄部６における横断面略三角形の丸く面取りした角部の外周面側に所定長さの係合溝１６２を周方向に所定間隔で設け、横断面円形の鞘体１７の収納孔１７ａ内周面の対応位置に所定長さの係合凸部１７２を所定間隔で設けるようにすればよい。また、上述した総ての実施の形態において共通して、使用する網はルアー用ランディングネットのように網目の大きなものは、枠体を構成する腕部材等に絡んで動作を損ないやすいことから余り適しておらず、例えば渓流用タモ網のように比較的網目の小さなものが適している。
【００３９】
以上、述べたように携帯用タモ網について、本発明により操作性・機能性を確保しながらより極めて携帯性に優れたものとなった。
【図面の簡単な説明】
【００４０】
【図１】（Ａ）は本発明の第１の実施の形態を示す縦断面図、（Ｂ）は（Ａ）の携帯用タモ網の使用状態を示す縦断面図。
【図２】図１（Ａ）の携帯用タモ網の拡大した底面図。
【図３】（Ａ）は本発明の第２の実施の形態を示す縦断面図、（Ｂ）は（Ａ）の携帯用タモ網の使用状態を示す縦断面図。
【図４】図３（Ａ）の携帯用タモ網の腕部材の先端側の拡大部分図。
【図５】（Ａ）及び（Ｂ）は、図３（Ａ）の携帯用タモ網の収納時の動作を説明するための側面図。
【図６】（Ａ）は本発明の第３の実施の形態を示す縦断面図、（Ｂ）は（Ａ）の携帯用タモ網の使用状態を示す正面図。
【図７】（Ａ）は従来例の収納時の状態を示す縦断面図、（Ｂ）はその使用時の状態を示す正面図。
【図８】（Ａ）は従来例の使用時の状態を示す縦断面図、（Ｂ）はその収納時の状態を示す縦断面図。
【符号の説明】
【００４１】
１Ａ，１Ｂ，１Ｃ  携帯用タモ網、２Ａ，２Ｂ  網、５，６  柄部、１０，２０  網部、１０ａ，１０ｂ，２０ａ，２０ｂ  腕部材、１２  スライダ、１２ａ  ヒンジ構造、１５，１６  筒部材、１５ａ，１６ａ  スライド孔、１７  鞘体、１７ａ  収納孔、１８  紐部材、１９  コイルバネ、２１ａ，２１ｂ  先端腕部材、１１１，１６２  係合溝、１５０  シーソー部材、１５１  係合爪、１５２    解除ボタン、１７１  繋止フック、１７２  係合凸部、２００ａ，２００ｂ  杵状部材
【図１】
2008253166.tif 000003
【図２】
2008253166.tif 000004
【図３】
2008253166.tif 000005
【図４】
2008253166.tif 000006
【図５】
2008253166.tif 000007
【図６】
2008253166.tif 000008
【図７】
2008253166.tif 000009
【図８】
2008253166.tif 000010